(57)【要約】本発明は、固定子と回転子と複数の電界効果トランジスタと正逆転切替回路基板と制御回路基板とモータのエンドキャップとを含むブラシレスモータに関する。モータのエンドキャップは、フロントエンドキャップとバックエンドキャップとを含み、モータのフロントエンドキャップとモータのバックエンドキャップが互いに固定的に連接されて一体型モータを形成する。複数の電界効果トランジスタがモータのエンドキャップ上に直接固定され、正逆転切替回路基板と制御回路基板がいずれもモータのエンドキャップと連接する。上記方式を介して電界効果トランジスタはモータの筐体上に直接取り付けられ、極めて良好な放熱を保証し、ヒートスプレッダも省くため、コストを削減し、一体型ブラシレスモータの運転がより一層円滑となり、筐体に対する要求も分割式ブラシレスモータのように極めて高い精度を必要としないため、製品の量産時の不良率を下げることができる。
2016502388.tif 000002
【特許請求の範囲】
【請求項１】
固定子と回転子と複数の電界効果トランジスタと正逆転切替回路基板と制御回路基板とモータのエンドキャップとを含み、前記固定子と回転子は、モータのエンドキャップ内部に設けられ、前記複数の電界効果トランジスタがモータのエンドキャップ上に連接し、前記正逆転切替回路基板と制御回路基板がいずれもモータのエンドキャップと連接するブラシレスモータであって、前記モータのエンドキャップは、フロントエンドキャップとバックエンドキャップとを含み、モータの前記フロントエンドキャップとモータの前記バックエンドキャップが互いに固定的に連接されて一体型ブラシレスモータを形成することを特徴とするブラシレスモータ。
【請求項２】
前記複数の電界効果トランジスタは、前記モータのフロントエンドキャップ上に直接固定され、更に制御回路基板に連接することを特徴とする請求項１に記載のブラシレスモータ。
【請求項３】
前記正逆転切替回路基板と制御回路基板は、いずれも前記モータのフロントエンドキャップ上に連接することを特徴とする請求項１に記載のブラシレスモータ。
【請求項４】
前記電界効果トランジスタは、前記モータのフロントエンドキャップ上にネジにて締め付けて固定されることを特徴とする請求項２に記載のブラシレスモータ。
【請求項５】
前記モータのフロントエンドキャップと前記モータのバックエンドキャップの間は、ボルトにより固定されて連接されることを特徴とする請求項１に記載のブラシレスモータ。
【請求項６】
前記ブラシレスモータの中心にモータシャフトを設け、前記ブラシレスモータは前記モータシャフトを通じてギアボックスアセンブリと連接することを特徴とする請求項１に記載のブラシレスモータ。
【請求項７】
前記モータシャフト上の前記モータのバックエンドキャップに近く一側がモータファンと連接することを特徴とする請求項６に記載のブラシレスモータ。
【請求項８】
前記ブラシレスモータ内部に放熱通路を形成し、前記電界効果トランジスタが前記放熱通路の上に設けられることを特徴とする請求項７に記載のブラシレスモータ。
【請求項９】
前記放熱通路は、吸込口と吹出口とを含み、前記電界効果トランジスタが前記吸込口の一側に設けられることを特徴とする請求項８に記載のブラシレスモータ。
【請求項１０】
前記吸込口は、前記モータのフロントエンドキャップに設けられる上部吸込口と下部吸込口と左右吸込口とを含み、前記吹出口が前記モータのバックエンドキャップ両側に設けられる左右吹出口を含むことを特徴とする請求項９に記載のブラシレスモータ。
【発明の詳細な説明】
【技術分野】
【０００１】
本発明は、ブラシレスモータに関し、特に、園芸工具及び電動工具上のブラシレスモータに関する。
【背景技術】
【０００２】
従来の園芸工具及び電動工具の設計において、モータは分割式で設けられている。モータは、園芸工具及び電動工具のプラスチック製筐体と後蓋を介して定位して運転できるため、プラスチック製筐体及び後蓋に対する精度要求は非常に高くなり、さもなければモータ運転時の騒音発生或いは動作電流が大きくなり、発熱が速くなるため、モータ寿命に影響を及していた。
【０００３】
また、従来の設計において、複数の電界効果トランジスタは単独のヒートスプレッダ上に設けられているため、コストが増すだけではなく、且つヒートスプレッダがモータの放熱通路にないため、放熱効果が悪く、電界効果トランジスタの性能に影響を及している。
【発明の概要】
【発明が解決しようとする課題】
【０００４】
そこで、本発明は、上記従来技術の問題点に鑑み、取り付け過程がより一層簡単で、園芸工具及び電動工具のプラスチック製筐体に対する精度要求が下がっても、不良率の減少を保証し、電界効果トランジスタをモータの筐体上に直接設置することで、極めて良好な放熱を保証し、またヒートスプレッダをも省くことができるため、コストを削減できるブラシレスモータを提供する。
【課題を解決するための手段】
【０００５】
本発明は、固定子と回転子と複数の電界効果トランジスタと正逆転切替回路基板と制御回路基板とモータのエンドキャップとを含むブラシレスモータを提供する。前記固定子と回転子は、モータのエンドキャップ内部に設けられ、前記複数の電界効果トランジスタがモータのエンドキャップ上に連接し、前記正逆転切替回路基板と制御回路基板がいずれもモータのエンドキャップと連接する。前記モータのエンドキャップは、フロントエンドキャップとバックエンドキャップとを含み、モータのフロントエンドキャップとモータのバックエンドキャップが互いに固定的に連接されて一体型ブラシレスモータを形成する。
【０００６】
前記複数の電界効果トランジスタは、モータのフロントエンドキャップ上に直接固定され、更に制御回路基板に連接することが好ましい。
【０００７】
前記正逆転切替回路基板と制御回路基板は、いずれもモータのフロントエンドキャップ上に連接することが好ましい。
【０００８】
前記電界効果トランジスタは、モータのフロントエンドキャップ上にネジにて締め付けて固定されることが好ましい。
【０００９】
前記モータのフロントエンドキャップとモータのバックエンドキャップの間は、ボルトにより固定されて連接されることが好ましい。
【００１０】
前記ブラシレスモータの中心にモータシャフトを設け、前記ブラシレスモータはモータシャフトを通じてギアボックスアセンブリと連接することが好ましい。
【００１１】
前記モータシャフト上のモータのバックエンドキャップに近く一側がモータファンと連接することが好ましい。
【００１２】
前記ブラシレスモータ内部に放熱通路を形成し、前記電界効果トランジスタが放熱通路の上に設けられることが好ましい。
【００１３】
前記放熱通路は、吸込口と吹出口とを含み、前記電界効果トランジスタが吸込口の一側に設けられることが好ましい。
【００１４】
前記吸込口は、モータのフロントエンドキャップに設けられる上部吸込口と下部吸込口と左右吸込口とを含み、前記吹出口がモータのバックエンドキャップ両側に設けられる左右吹出口を含むことが好ましい。
【発明の効果】
【００１５】
本発明に係るブラシレスモータは、極めて良好な放熱を保証し、ヒートスプレッダを省き、コストを削減し、且つ一体型ブラシレスモータの運転がより一層円滑となり、筐体に対する要求も分割式ブラシレスモータのように極めて高い精度を必要とすることがないため、製品の量産時の不良率を下げることができる。
【図面の簡単な説明】
【００１６】
【図１】本発明に係るブラシレスモータの構造を示す模式図である。
【図２】本発明に係るブラシレスモータが電気ドリルに運用された好ましい実施例の構造を示す模式図である。
【発明を実施するための形態】
【００１７】
以下に、本発明の利点と特徴を容易に当業者に理解してもらうため、添付図面を基に本発明の好ましい実施例について詳細に説明することで、本発明の保護範囲をより一層明確に特定する。
【００１８】
図１乃至図２を参照すると、本発明の実施例は、ブラシレスモータを含む。前記ブラシレスモータ１は、固定子２０と回転子２１と複数の電界効果トランジスタ４と正逆転切替回路基板５と制御回路基板６とモータのエンドキャップと、を含む。
【００１９】
前記固定子２０と回転子２１は、モータのエンドキャップ内部に設けられ、前記複数の電界効果トランジスタ４がモータのエンドキャップ上に連接し、更に制御回路基板６に連接する。前記正逆転切替回路基板５と制御回路基板６は、いずれもモータのエンドキャップと連接する。
【００２０】
前記モータのエンドキャップは、モータのフロントエンドキャップ２とモータのバックエンドキャップ３とを含み、モータのフロントエンドキャップ２とモータのバックエンドキャップ３が互いに固定されて連接される。
【００２１】
前記モータのフロントエンドキャップ２とモータのバックエンドキャップ３の間はボルト７により固定されて連接される。前記複数の電界効果トランジスタ４は、モータのフロントエンドキャップ２上に直接固定され、前記正逆転切替回路基板５と制御回路基板６がいずれもモータのフロントエンドキャップ２上に連接される。
【００２２】
本発明において、前記ブラシレスモータ１は一体型として設けられるため、該ブラシレスモータを園芸工具及び電動工具に運用する時の組み立てがより一層簡単で、同時に園芸工具及び電動工具のプラスチック製筐体に対する精度要求が下がっても、不良率の減少を保証する。該ブラシレスモータは、単体機内に入れる前に例えば騒音の有無等といったモータの不良の有無を知るため、作業能率を高めることができる。
【００２３】
本発明において、複数の電界効果トランジスタは、モータフロントエンドキャップ２上にネジ８にて締め付けて固定され、つまりブラシレスモータの制御回路にある大電力の電界効果トランジスタ４がモータの筐体上に直接取り付けることができ、こうすることで極めて良好な放熱を保証でき、ヒートスプレッダをも省くため、コストを削減できる。
【００２４】
前記ブラシレスモータ１の中心にモータシャフト９を設けており、前記ブラシレスモータ１はモータシャフト９を通じてギアボックスアセンブリ１０に連接し、ブラシレスモータ１がギアボックスアセンブリ１０を介して電動工具の正常作動を駆動する。
【００２５】
前記モータシャフト９のモータのバックエンドキャップ３に近く一側は、モータファン１１に連接するため、ブラシレスモータの良好な放熱を保証できる。
【００２６】
更に、前記ブラシレスモータ１内部に放熱通路を形成し、前記大電力の電界効果トランジスタ６は該放熱通路上に設けられており、電界効果トランジスタの直接放熱を保証する。
【００２７】
具体的に前記放熱通路は、吸込口と吹出口とを含む。
【００２８】
モータのフロントエンドキャップ２の上下両側に上部吸込口１２と下部吸込口１３とを含み、モータのフロントエンドキャップの左右両側に左右吸込口１４を設けており、モータのバックエンドキャップ３の両側に左右吹出口１５を設けており、これらの間に放熱通路を形成する。
【００２９】
放熱通路全体は、電界効果トランジスタ４の直接放熱を保証するだけではなく、同時にもブラシレスモータの高効率の放熱を保証し、ブラシレスモータの寿命を延長してブラシレスモータの使用効率をアップする。
【００３０】
図２を参照すると、本発明に係るブラシレスモータが電気ドリルに運用された好ましい実施例の構造を示す模式図である。
【００３１】
ブラシレスモータ１は、ギアボックスアセンブリ１０に連接し、ブラシレスモータ１がギアボックスアセンブリ１０を通じて電気ドリルの動作を駆動する。ブラシレスモータ１内の６個の電界効果トランジスタ４は、モータの筐体上に設けられる。
【００３２】
ブラシレスモータ１は、一体型として設けられ、電気ドリルの組み立て過程をより一層簡単で、電気ドリルのプラスチック製筐体に対する精度要求が下がっても、不良率の減少を保証する。
【００３３】
電気ドリルの機体前端両側に第１の吸込口１６を設け、機体前端の上下両側に第２の吸込口１７を更に設け、機体後端両側に第１の吹出口１８を設け、機体後端の上下両側に第２の吹出口１９を設ける。
【００３４】
第１の吸込口１６と第２の吸込口１７と第１の吹出口１８と第２の吹出口１９の間に放熱通路を形成し、電界効果トランジスタ４は該放熱通路上に設けられており、電界効果トランジスタの良好な放熱効果を保証し、同時にもブラシレスモータと電気ドリルの良好な放熱を保証し、電気ドリルの寿命を延長する。
【００３５】
本発明に係るブラシレスモータの有益な効果：
ブラシレスモータを園芸工具及び電動工具に運用する時の組み立てはより一層簡単で、一体型ブラシレスモータの運転がより一層円滑となり、筐体に対する要求も分割式ブラシレスモータのように極めて高い精度を必要とすることがないため、製品の量産時の不良率を下げることができる。
【００３６】
電界効果トランジスタはモータの筐体上に直接取り付けられ、極めて良好な放熱を保証し、ヒートスプレッダをも省くことができるため、コストを削減できる。
【００３７】
同時に大電力の電界効果トランジスタは、更に放熱通路上に設けられ、電界効果トランジスタの直接放熱を保証し、つまりブラシレスモータの高効率の放熱を保証し、ブラシレスモータの寿命を延長してブラシレスモータの使用効率をアップする。
【００３８】
以上、本発明につき好適な実施例を挙げて種々説明したが、本発明はこの実施例に限定されるものではなく、本発明の明細書及び添付図面の内容を利用して行った同一の作用効果の構造又は流れの変更、或いは直接的若しくは間接的にその他の関連技術分野への運用は、いずれも本発明の特許保護範囲内に含めるものである。
【符号の説明】
【００３９】
１  ブラシレスモータ
２  モータのフロントエンドキャップ
３  モータのバックエンドキャップ
４  電界効果トランジスタ
５  正逆転切替回路基板
６  制御回路基板
７  ボルト
８  ネジ
９  モータシャフト
１０  ギアボックスアセンブリ
１１モータファン
１２  上部吸込口
１３  下部吸込口
１４  左右吸込口
１５  左右吹出口
１６  第１の吸込口
１７  第２の吸込口
１８  第１の吹出口
１９  第２の吹出口
２０  固定子
２１  回転子
【図１】
2016502388.tif 000003
【図２】
2016502388.tif 000004
【国際調査報告】
2016502388.tif 000005
2016502388.tif 000006
2016502388.tif 000007
2016502388.tif 000008
2016502388.tif 000009
2016502388.tif 000010